(57)【要約】      （修正有）【課題】パッド体における発泡体が一回の発泡過程だけで完成できて発泡体内に層間境界がないマーク手段付きのシートを提供する。【解決手段】支持装置３と該支持装置の上面に固定されたパッド体４とを備えており、前記支持装置は、前記パッド体の下面に裏打ちとして設置固定された裏板３１と、前記裏板の下面に取り付けられた支持フレーム３２とからなっているシートであって、前記パッド体に、上から下まで貫通した第１の穿孔４１が形成されている上、前記支持装置の前記第１の穿孔に上下対応する箇所に、マーク手段５が設置されていることを特徴とするマーク手段付きのシートを提供する。【選択図】図３
0003113231.tif 000002
【実用新案登録請求の範囲】
【請求項１】
支持装置と該支持装置の上面に固定されたパッド体とを備え、
前記支持装置は、
前記パッド体の下面に裏打ちとして設置固定された裏板と、
前記裏板の下面に取り付けられた支持フレームと
からなっているシートであって、
前記パッド体には、上から下まで貫通した第１の穿孔が形成されている上、前記支持装置の前記第１の穿孔に上下対応する箇所にマーク手段が設置されていることを特徴とするマーク手段付きのシート。
【請求項２】
前記裏板の前記第１の穿孔に対応する箇所には、該第１の穿孔と合わせて上から下まで貫通した第２の穿孔が形成されており、
前記マーク手段は、前記支持フレームの前記第２の穿孔に上下対応する箇所に設置されていることを特徴とする請求項１に記載のマーク手段付きのシート。
【請求項３】
前記支持フレームは、前記裏板の前記第２の穿孔を有する箇所に下から裏打ちとして取り付けられている部分を備え、
前記マーク手段は、該部分の上面の前記第２の穿孔と上下対応する位置に設置されていることを特徴とする請求項２に記載のマーク手段付きのシート。
【請求項４】
前記部分と前記裏板との間にはクッションシートが挟まれており、
前記マーク手段は該クッションシートと一体であることを特徴とする請求項３に記載のマーク手段付きのシート。
【請求項５】
前記マーク手段は、該クッションシートの上面から一体的に突出してなり、且つ、前記第２の穿孔を通って前記第１の穿孔内まで延びていることを特徴とする請求項４に記載のマーク手段付きのシート。
【請求項６】
前記パッド体及び前記裏板は、両方とも上下互いに一致した先細のサドル形をしており、
前記支持フレームは、前段部と、中段部と、後段部とからなっており、
前記前段部及び後段部はそれぞれ前記裏板の前段部及び後段部と外形が上下ほぼ一致になったものであり、
前記部分は前記後段部であることを特徴とする請求項４に記載のマーク手段付きのシート。
【請求項７】
前記中段部は前記前段部と後段部とを前後連結した左右１対のスプリングレバーからなったものであることを特徴とする請求項６に記載のマーク手段付きのシート。
【請求項８】
前記支持フレームは、ばね鋼線材から、前端部と該前端部から後方へ左右それぞれに延びてなった二叉部とを有する形に曲げられてなっている中段部と、独立体として他に該前端部を前から銜え付けた偏平スリーブ形の前段部と、独立体として他に該二叉部の両後端部を後ろから銜え付けた偏平スリーブ形の後段部とからなっていることを特徴とする請求項７に記載のマーク手段付きのシート。
【請求項９】
前記支持フレームの前記裏板への取り付けは、前記裏板の下面の前後端近く並びに前記支持フレームの前記前段部及び前記後段部の上面にそれぞれ形成してある上結合部と下結合部とが上下互いに結合することによって行われていることを特徴とする請求項８に記載のマーク手段付きのシート。
【請求項１０】
前記上結合部と前記下結合部とは、上下互いに嵌め合うことができる凹凸構造になっていることを特徴とする請求項９に記載のマーク手段付きのシート。
【請求項１１】
前記凹凸構造は、ねじ付け構造が付設してあるものであることを特徴とする請求項１０に記載のマーク手段付きのシート。
【請求項１２】
前記裏板の前記第１の穿孔に対応する箇所に該第１の穿孔と上下連通した第２の穿孔が形成されており、
前記支持装置は、更に、前記裏板の下面にその外周縁内の範囲が前記第２の穿孔を含むように敷設固定されている固定板を有し、
前記マーク手段は、前記固定板の上面の前記第２の穿孔に上下対応する箇所に設置されていることを特徴とする請求項１に記載のマーク手段付きのシート。
【請求項１３】
前記固定板の上面と前記裏板の下面との間にクッションシートが挟まれており、
前記マーク手段は該クッションシートと一体になっていることを特徴とする請求項１２に記載のマーク手段付きのシート。
【請求項１４】
前記マーク手段は、該クッションシートの上面から一体的に突出してなり、且つ、前記第２の穿孔を通って前記第１の穿孔内まで延びていることを特徴とする請求項１３に記載のマーク手段付きのシート。
【請求項１５】
前記固定板は、中心孔のある環状のものであり、
その中心孔の周縁内の範囲は前記クッションシートの周縁内の範囲に含まれていることを特徴とする請求項１４に記載のマーク手段付きのシート。
【考案の詳細な説明】
【技術分野】
【０００１】
本考案は、シートに関し、特に、自転車や自動二輪車などのマーク手段付きのシートに関する。
【背景技術】
【０００２】
自転車や自動二輪車などのシートの製造メーカは、シートを生産するときに、シートにデザイン性を添え、あるいは商品の説明または商品性のアピールをするために、通常、図柄、ロゴ、型番、製品名、社標、登録商標、材質等を表示するマーク手段を添付する。
【０００３】
図１及び図２には、このようなマーク手段付きのシートの従来例を示す。該シート１は、主として支持装置１１と該支持装置１１の上面に固定されたパッド体１２とを備えてなったものである。支持装置１１は、パッド体１２の下面に裏打ちとして設置固定された裏板１１１と、裏板１１１の下面に取り付けられた支持フレーム１１２とからなっている。パッド体１２は、主としてその上面に窪み１２２が形成してある発泡体１２１であり、発泡材で裏板１１１の上面に附着するように形成されてなっている。そして、マーク手段１３は窪み１２２の底面に敷設されている。
【０００４】
また、図１に示すように、通常のこのようなマーク手段付きのシート１は、パッド体１２の一部として、更に、窪み１２２と対応する通孔１２４が形成してあり、且つ発泡体１２１の上面に保護層として被覆した外皮体１２３と、通孔１２４と窪み１２２とからなった立て孔を塞いでマーク手段１３を上方から見えるように保護している透明ディスク１２５とを備えている。
【考案の開示】
【考案が解決しようとする課題】
【０００５】
しかし、この従来のマーク手段付きのシート１におけるマーク手段１３はパッド体１２の発泡体１２１の上面に形成してある窪み１２２の底面に敷設されているので、発泡体１２１の発泡形成過程としては、まず基層としての第１層を形成し、そしてマーク手段１３を置いてからその周囲にマーク手段１３の周縁を覆うように第２層を形成することで行われなくてはならない。即ち、本来、一回の発泡過程で完成できる発泡体１２１は二回の発泡過程で始めて完成するようになり、且つ、発泡体内にも、二回分けの発泡過程により層間境界がなり、構成上の弱みになる、などの欠点が出てきている。また、このようにマーク手段１３は窪み１２２の底面に敷設されているので、パッド体１２の発泡体１２１に更に保護用の外皮体１２３を施そうとするとき、他に透明ディスク１２５を製作し通孔１２４と窪み１２３とからなった立て孔を充填する必要があるので、製作工程がややこしいという問題もある。
【０００６】
本考案は、前記問題に鑑みてなされたものであり、パッド体における発泡体が一回の発泡過程だけで完成できて発泡体内に層間境界がないマーク手段付きのシートを提供することを第１の目的とする。
【０００７】
また、パッド体の発泡体に更に保護用の外皮体を施そうとするときに、他に透明ディスクを製作し立て孔を充填する必要がないマーク手段付きのシートを提供することを第２の目的とする。
【課題を解決するための手段】
【０００８】
前記第１の目的を達成するために、本考案は、支持装置と該支持装置の上面に固定されたパッド体とを備えており、前記支持装置は、前記パッド体の下面に裏打ちとして設置固定された裏板と、前記裏板の下面に取り付けられた支持フレームとからなっているシートであって、前記パッド体に、上から下まで貫通した第１の穿孔が形成されている上、前記支持装置の前記第１の穿孔に上下対応する箇所にマーク手段が設置されていることを特徴とするマーク手段付きのシートを提供する。
【０００９】
なお、前記支持装置の前記第１の穿孔に上下対応する箇所は、前記裏板にあっても良く、前記支持フレームにあっても良い。ただ、前記支持フレームにあれば、前記裏板には必ず前記第１の穿孔と対応する第２の穿孔がなければならない。
【００１０】
前記支持フレームは、前記裏板の前記第２の穿孔を有する箇所に下から裏打ちとして取付られている部分があり、前記マーク手段は、該部分の上面の前記第２の穿孔と上下対応する位置に設置されていることが好ましい。
【００１１】
前記部分と前記裏板との間にクッションシートが挟まれており、前記マーク手段は該クッションシートと一体になっていることが好ましい。
【００１２】
また、前記第２の目的を達成するために、本考案は、前記構造に加えて、前記マーク手段を前記クッションシートの上面から一体的に突出し、且つ、前記第２の穿孔を通って前記第１の穿孔内までに延びるようにさせたことを特徴とするマーク手段付きのシートを提供する。
【００１３】
前記構成による第１の目的を達成するためのマーク手段付きのシートは、前記パッド体に上から下まで貫通した第１の穿孔が形成されている上、マーク手段が前記支持装置の前記第１の穿孔に上下対応する箇所に設置されているので、マーク手段はパッド体に設置されることなく、パッド体における発泡体の成型時に一回だけの発泡過程で前記第１の穿孔を同時に成型すれば良い。
【００１４】
前記構成による第２の目的を達成するためのマーク手段付きのシートは、前記マーク手段は前記第２の穿孔を通って前記第１の穿孔内までに延びているので（特にほぼその最高縁までに延びた場合）、パッド体の発泡体に更に保護用の外皮体を施そうとするときに、他に透明ディスクを製作し立て孔を充填する必要がない。
【考案の効果】
【００１５】
本考案に係るマーク手段付きのシートは、パッド体における発泡体が一回の発泡過程だけで完成できて発泡体内に層間境界がない上、パッド体の発泡体に更に保護用の外皮体を施そうとするときに、他に透明ディスクを製作し立て孔を充填する必要がないため、製作工程を円滑に行うことができる。
【考案を実施するための最良の形態】
【００１６】
以下、添付図に示す実施形態に基づいて本考案を詳細に説明する。
【００１７】
図３には、本考案に係るマーク手段付きのシートの第１の実施形態の分解斜視図を示す。図４には、該実施形態の組み立て済みの側面図であって、且つその一部の断面を示す。図５には、該実施形態を後方から見た部分断面図を示す。
【００１８】
図３に示すように、本実施形態に係るマーク手段付きのシートは、主として支持装置３と該支持装置３の上面に固定されたパッド体４とを備えている。支持装置３は、パッド体４の下面に裏打ちとして設置固定された裏板３１と、裏板３１の下面３１１に取り付けられた支持フレーム３２とを備えている。
【００１９】
この第１の実施形態の特徴は、パッド体４に、上から下まで貫通した第１の穿孔４１（図５参照）が形成されていること、及び、支持装置３の第１の穿孔４１に上下対応する箇所にマーク手段５が設置されていることにある。
【００２０】
詳しく言うと、この実施形態においては、裏板３１の第１の穿孔４１に上下対応する箇所に該第１の穿孔４１と合わせて上から下まで貫通した第２の穿孔３３が形成されている。また、支持フレーム３２は、裏板３１の第２の穿孔３３を有する箇所に下から裏打ちとして取り付けられている部分があり、マーク手段５は該部分の上面の第２の穿孔３３と上下対応する位置に設置されている。
【００２１】
もっと詳しくは、パッド体４及び裏板３１は、両方とも上下互いに一致した先細のサドル形に形成されている。支持フレーム３２は、前段部３２１と、中段部３２２と、後段部３２３とを備えている。中段部３２２は、ばね鋼線材から、前端部３２２１と該前端部３２２１から後方へ左右それぞれに延びてなった二叉部３２２２とを有する形に曲げられている。前段部３２１は、独立体として他に前端部３２２１を前から銜え付けた偏平スリーブ形である。後段部３２３は、独立体として他に該二叉部３２２２の両後端部を後ろから銜え付けた偏平スリーブ形である。
【００２２】
即ち、支持フレーム３２は、外観だけから見れば、前段部３２１と、後段部３２３と、前段部３２１と後段部３２３との間に延在してそれらを前後連結した左右１対のスプリングレバー（即ち、図３における二叉部３２２２の目で見える部分）からなったものと見える。また、前段部３２１及び後段部３２３はそれぞれ裏板３１の前段部３１２及び後段部３１３と外形が上下ほぼ一致になったものであり、且つ前記支持フレーム３２の下から裏板３１の裏打ちとして取り付けられている部分はこの後段部３２３である。
【００２３】
また、該部分としての後段部３２３と裏板３１との間にクッションシート６が挟まれており、マーク手段５は、クッションシート６の上面６Ａから一体的に突出してなり、且つ、第２の穿孔３３を通って第１の穿孔４１内のほぼ最高縁までに延びている。
【００２４】
そして、前記支持フレーム３２の裏板３１への取り付けは、裏板３１の下面３１１の前後端近く並びに支持フレーム３２の前段部３２１及び後段部３２３の上面３２１Ａ，３２３Ａにそれぞれ形成してある上結合部（３１４，３１５，３１６，３１７参照）と下結合部（３２４，３２５，３２６，３２７参照）とが上下互いに嵌め合うことができる凹凸構造で結合することによって行われている。なお、前記凹凸構造には、更にねじ付け構造３２８，３２９が付設してある。
【００２５】
次に、本考案に係るマーク手段付きのシートの第２の実施形態を説明する。図６には、第２の実施形態の部分分解断面図を示す。図７には、該実施形態の側断面図を示す。図８には、同じく該実施形態の底面図を示す。
【００２６】
図６及び図７に示すように、第２の実施形態においては、裏板３１の第１の穿孔４１に対応する箇所に第１の穿孔４１と上下連通した第２の穿孔３３ａが形成されており、支持装置３は、更に、裏板３１の下面３１１にその外周縁内の範囲が第２の穿孔３３ａ全域を含むように敷設固定されている固定板３１８を有し、マーク手段５は、固定板３１８の上面３１８Ａの第２の穿孔３３ａに上下対応する箇所に設置されている。
【００２７】
詳細には、固定板３１８の上面３１８Ａと裏板３１の下面３１１との間にクッションシート６が挟まれており、マーク手段５は該クッションシート６の上面６Ａから一体的に突出してなり、且つ、第２の穿孔３３ａを通って第１の穿孔４１内の最高縁の直前までに延びている。該固定板３１８は、図８に示すように、中心孔３１８１のある環状のものであり、その中心孔３１８１の周縁内の範囲はクッションシート６の周縁内の範囲に含まれている。
【００２８】
以上、実施形態に基づいて説明したが、本考案は前記実施形態に限定されるものではない。例えば、前記第１の実施形態において、後段部３２３と裏板３１との間だけにクッションシート６が挟まれているのを例示したが、前段部３２１と裏板３１との間にクッションシートが挟まれてもよい。また、前記第１及び第２の実施形態において、前記マーク手段５はそれぞれ裏板３１と支持フレーム３２との間に、及び、裏板３１の下面の固定板３１８に前記第１の穿孔４１と上下対応する箇所に設置されているのを例示したが、前記マーク手段５は裏板３１の上面の前記第１の穿孔４１と上下対応する箇所に設置されてもよい。この場合に、前記裏板３１に第２の穿孔が形成される必要はない。即ち、本考案の前記特徴及び目的から離脱しなければ、種々の変形や変更が可能である。
【図面の簡単な説明】
【００２９】
【図１】従来例のマーク手段付きのシートの部分分解斜視図である。
【図２】図１に示すシートの部分斜視図である。
【図３】本考案に係るマーク手段付きのシートの第１の実施形態の分解斜視図である。
【図４】第１の実施形態の組み立て済みの側面図であって、且つその一部の断面図である。
【図５】第１の実施形態を後方から見た部分断面図である。
【図６】第２の実施形態の部分分解断面図である。
【図７】第２の実施形態の側断面図である。
【図８】第２の実施形態の底面図である。
【符号の説明】
【００３０】
３…支持装置、３１…裏板、３１１…（裏板の）下面、３１２…（裏板の）前段部、３１３…（裏板の）後段部、３１４…上結合部、３１５…上結合部、３１６…上結合部、３１７…上結合部、３１８…固定板、３１８Ａ…（固定板の）上面、３１８１…中心孔、３２…支持フレーム、３２１…前段部、３２１Ａ…（前段部の）上面、３２２…中段部、３２２１…前端部、３２２２…二叉部、３２３…後段部、３２３Ａ…（後段部の）上面、３２４…下結合部、３２５…下結合部、３２６…下結合部、３２７…下結合部、３２８…ねじ付け構造、３２９…ねじ付け構造、３３…第２の穿孔、３３ａ…第２の穿孔、４…パッド体、４１…第１の穿孔、５…マーク手段、６…クッションシート、６Ａ…（クッションシートの）上面
【図１】
0003113231.tif 000003
【図２】
0003113231.tif 000004
【図３】
0003113231.tif 000005
【図４】
0003113231.tif 000006
【図５】
0003113231.tif 000007
【図６】
0003113231.tif 000008
【図７】
0003113231.tif 000009
【図８】
0003113231.tif 000010